(57)【特許請求の範囲】
【請求項１】
凸状収容部および上記凸状収容部の周囲全体に設けられたフランジ部を有するブリスター容器と，上記ブリスター容器を収納するホルダーとを備え，
上記ホルダーは，
上記凸状収容部が突出可能な広さの窓部があけられた正面パネルと，上記正面パネルの裏面がわに重ね合わされて上記正面パネルと接着される背面パネルとを備え，
上記ブリスター容器の両側フランジ部が，上記窓部の両側のそれぞれにおいて上記正面パネルと上記背面パネルとの間に挟まれることになる，そのような幅を上記窓部が有しており，
上記正面パネルの上部に，上記窓部の上端に連続する１対のスライド溝が間隔をあけて形成されており，
上記正面パネルのうち上記１対のスライド溝の間に挟まれる面部を係止片として用いて，上記係止片の係止端に上記ブリスター容器の上側フランジ部の上端を当接させて上記ブリスター容器の上方へのスライド移動を係止する第１のストッパ機構を備え，
上記第１のストッパ機構による係止が解かれて上記係止片に乗り上げ，かつ１対のスライド溝に入った上記ブリスター容器の上側フランジ部を上記１対のスライド溝の末端部に挟んで，上記ブリスター容器の上方へのさらなるスライド移動を係止する第２のストッパ機構を備え，
上記第２のストッパ機構によって上記ブリスター容器のスライド移動が係止するときに上記ブリスター容器内の内容物を取出し可能にする内容物取出し部が，上記ホルダーの背面パネルに形成されている，
二重包装体。
【請求項２】
上記内容物取出し部が，上記ホルダーの背面パネルにあけられた振出し孔であり，
上記第２のストッパ機構によって上記ブリスター容器のスライド移動が係止するときに上記ブリスター容器の凸状収容部と上記振出し孔とが上下に重なるように，上記振出し孔が位置決めされている，
請求項１に記載の二重包装体。
【請求項３】
上記ブリスター容器の裏面に，内容物取出し孔があけられた封止シートが設けられており，
上記内容物取出し部が，上記ホルダーの背面パネルにあけられた振出し孔であり，
上記第２のストッパ機構によって上記ブリスター容器のスライド移動が係止するとき上記内容物取出し孔と上記振出し孔とが上下に重なるように，上記内容物取出し孔および上記振出し孔が位置決めされ，かつ上記１対のスライド溝の長さが決められている，
請求項１に記載の二重包装体。
【請求項４】
上記ブリスター容器に複数の凸状収容部が整列して設けられており，
上記内容物取出し部が，上記ホルダーの背面パネルに上記ブリスター容器の凸状収容部の配列に対応する配列であけられた複数の振出し孔であり，
上記第２のストッパ機構によって上記ブリスター容器のスライド移動が係止するときに上記ブリスター容器の凸状収容部と上記背面パネルの振出し孔とが上下に重なるように，上記振出し孔が位置決めされ，かつ上記１対のスライド溝の長さが決められている，
請求項１に記載の二重包装体。
【請求項５】
上記背面パネルの下端に折返し片が連設されており，
折返されて上記正面パネルの下部に接着された上記折返し片が，上記正面パネルの窓部の下端を規定する，
請求項１から４のいずれか一項に記載の二重包装体。
【請求項６】
上記背面パネルに指通し孔があけられている，
請求項１から５のいずれか一項に記載の二重包装体。
【発明の詳細な説明】
【技術分野】
【０００１】
この発明は二重包装体に関する。
【背景技術】
【０００２】
表面がわに突出して形成された収容部内に内容物を閉じこめ，裏面がわに台紙などの封止シートを固定したブリスター容器が知られている。収容部は一般的に比較的硬質の透明なプラスチックでつくられ，内容物を外部から視覚的に確認することができる。封止シートを破るまたは取り除くことで，収容部内の内容物が取り出される。
【０００３】
ブリスター容器の一形態にＰＴＰがある。ＰＴＰはPress Through Package の略で，表面がわに突出して複数の収容部が形成されたプラスチック製の薄い基板の裏面にアルミニウム箔などの破りやすい封止シートを接着したものである。収容部には一般に薬剤，特に錠剤が収容（封入）される。突出している収容部を押すと基板の裏面がわで封止シートが破れ，そこから薬剤が取り出される。
【０００４】
子供による薬剤の誤飲を防止等するために，薬剤を収容したＰＴＰをパッケージングして，ＰＴＰ内の薬剤を不用意に取り出しにくくすることが提案されている。
【０００５】
特許文献１に記載のＰＴＰシートの包装体は，薬剤を取り出すための取り出し孔を開閉するための規制片を備えるもので，規制片をスライドすることによって取り出し孔が開閉される。ＰＴＰシートを包装する２つのシート（一片および他片）に加えて規制片を必要とするので，包装体をつくるために必要とされるシートは大きい。また規制片の面積は比較的広く，面積の広い規制片の全体をスライドするには指の力が必要とされる。
【０００６】
特許文献２，３および４に記載のパッケージも，ブリスターないしカードをパッケージングして薬剤を取り出しにくくするものである。これらの文献に記載のパッケージはいずれも箱型の外側スリーブを用いている。構造が比較的複雑で，その製造には専用ラインが必要になると考えられる。
【先行技術文献】
【特許文献】
【０００７】
【特許文献１】特許第４２９９０３５号公報
【特許文献２】特表２０１３−５３６１３１号公報
【特許文献３】特表２００７−５１１４３５号公報
【特許文献４】特表２０１１−５１９７８７号公報
【発明の開示】
【０００８】
この発明は，ブリスター容器内の内容物を不用意に取り出させないようにすることを，簡易に実現することを目的とする。
【０００９】
この発明による二重包装体は，凸状収容部および上記凸状収容部の周囲全体に設けられたフランジ部を有するブリスター容器と，上記ブリスター容器を収納するホルダーとを備える。上記ホルダーは，上記凸状収容部が突出可能な広さの窓部があけられた正面パネルと，上記正面パネルの裏面がわに重ね合わされて上記正面パネルと接着される背面パネルとを備える。上記ブリスター容器の両側フランジ部が，上記窓部の両側のそれぞれにおいて上記正面パネルと上記背面パネルとの間に挟まれることになる，そのような幅を上記窓部が有している。上記正面パネルの上部に，上記窓部の上端に連続する１対のスライド溝が間隔をあけて形成されている。二重包装体は，上記正面パネルのうち上記１対のスライド溝の間に挟まれる面部を係止片として用いて，上記係止片の係止端に上記ブリスター容器の上側フランジ部の上端を当接させて上記ブリスター容器の上方へのスライド移動を係止する第１のストッパ機構を備える。さらに二重包装体は，上記第１のストッパ機構による係止が解かれて上記係止片に乗り上げ，かつ１対のスライド溝に入った上記ブリスター容器の上側フランジ部を上記１対のスライド溝の末端部（付け根部）に挟んで，上記ブリスター容器の上方へのさらなるスライド移動を係止する第２のストッパ機構を備える。上記ホルダーの背面パネルに，上記第２のストッパ機構によって上記ブリスター容器のスライド移動が係止するときに上記ブリスター容器内の内容物を取出し可能にする内容物取出し部が形成されている。
【００１０】
この発明による二重包装体は，ブリスター容器の２段階のスライド移動を実現する。１段階目のスライド移動は，ブリスター容器の上側フランジ部の上端が，正面パネルの上部の係止片の係止端に当接するまでの移動である。２段階目のスライド移動は，ブリスター容器の上側フランジ部が，正面パネルの上部に形成された１対のスライド溝の末端部（付け根部）できつく挟まれるまでの移動である。スライド溝は，切込み，切欠き，打抜き，隙間などによって実現される。２段階目のスライド移動が行われ，上記第２のストッパ機構によって上記ブリスター容器のスライド移動が係止するときに，上記ホルダーの背面パネルに形成された内容物取出し部から上記ブリスター容器内の内容物が取出される。
【００１１】
この発明によると，ブリスター容器を単純にスライド移動させるだけではブリスター容器の２段階目のスライド移動に進むことはできず，内容物を取出すことができない。２段階目のスライド移動に進むためには，ブリスター容器の上端が係止片の係止端に当接している状態，すなわち第１のストッパ機構による係止を解かなければならない。
【００１２】
第１のストッパ機構による係止は，ブリスター容器を持ち上げるまたは押し上げることで解くことができる。ブリスター容器の凸状収容部が正面パネルの窓部から突出しているので，この凸状収容部を指で掴んで持ち上げることができ，これにより第１のストッパ機構による係止が解かれる。背面パネルに指通し孔を形成しておき，この指通し孔から指を入れてブリスター容器を押し上げることで第１のストッパ機構による係止を解くこともできる。いずれにしても第１のストッパ機構による係止を解くことで，ブリスター容器のさらなる（２段階目の）スライド移動が可能になる。背面パネルに孔を形成しておくのに代えて切込みを形成しておき，この切込みに沿う背面パネルの一部の面部を指で押し上げるようにしてもよい。切込みに沿う背面パネルの面部を押し上げたときに背面パネルに孔があくことになる。この態様も上記「指通し孔」には含まれる。
【００１３】
第１のストッパ機構による係止を解いてブリスター容器をさらにスライド移動すると，次に第２のストッパ機構によってブリスター容器のスライド移動が止まる。第２のストッパ機構は，正面パネルの上部に上記窓部の上端に連続して形成された１対のスライド溝によって実現される。第１のストッパ機構による係止が解かれるときに上述したようにブリスター容器は持ち上げられるので，その状態でブリスター容器をスライド移動すると，ブリスター容器の上側フランジ部が係止片に乗り上げ，それと同時に上側フランジ部は１対のスライド溝のそれぞれに入る（差し込まれる）。スライド移動を進めるとスライド溝に入ったブリスター容器の上側フランジ部が１対のスライド溝の末端部にきつく挟まれ，これによりブリスター容器の２段階目のスライド移動が係止する。
【００１４】
この発明によると，ブリスター容器を単純にスライド移動させるだけでは１段階目のスライド移動ができるにとどまり，２段階目のスライド移動に進むことはできない。２段階目のスライド移動に進むには，第１のストッパ機構による係止を解かなければならない。上述のように，第１のストッパ機構による係止を解くにはブリスター容器を持ち上げるないし押し上げることが必要である。すなわち，ブリスター容器を持ち上げるないし押し上げるという，単純ではあるが必要不可欠な操作が，２段階目のスライド移動に進むには必要である。
【００１５】
またこの発明によると，２段階目のスライド移動は，ブリスター容器の上側フランジ部が正面パネルの上部に形成された１対のスライド溝の末端部に到達したときに止まるので，ブリスター容器の許容移動距離を，正面パネルに形成される１対のスライド溝の長さによって決定することができる。
【００１６】
ブリスター容器の２段階のスライド移動を実現するこの発明による二重包装体は，様々な用途に用いることが考えられる。
【００１７】
その一つは，ブリスター容器の凸状収容部内に収容される内容物を１個ないし数個ずつ外に取り出す振出し容器への応用である。二重包装体を振出し容器として用いる場合には，上記内容物取出し部として上記ホルダーの背面パネルに振出し孔があけられる。上記第２のストッパ機構によって上記ブリスター容器のスライド移動が係止するときに上記凸状収容部と上記振出し孔とが上下に重なるように，上記振出し孔が位置決めされる。２段階目のスライド移動に進み，第２のストッパ機構によってスライド移動が係止したときにはじめてブリスター容器の凸状収容部内の内容物を外に取り出すことができる振出し容器が実現される。ブリスター容器内の内容物が不用意に取り出されないようにすることが簡易に実現される。
【００１８】
ブリスター容器の裏面がわに凸状収納部を閉じる封止シートが設けられている場合には，その封止シートに内容物取出し孔をあけておけばよい。そして，上記第２のストッパ機構によって上記ブリスター容器のスライド移動が係止するときに，封止シートの内容物取出し孔と背面パネルの振出し孔とが上下に重なるように，上記内容物取出し孔および上記振出し孔を位置決めし，かつ上記１対のスライド溝の長さを決めればよい。
【００１９】
他の実施態様は，複数の凸状収容部が整列して設けられており，凸状収容部を表がわから押すことで裏面がわで封止シートを破いて内容物を取り出すＰＴＰを収納するＰＴＰ容器への応用である。二重包装体をＰＴＰ容器として用いる場合には，内容物取出し部として，上記ホルダーの背面パネルに上記ブリスター容器（ＰＴＰ）の凸状収容部の配列に対応する配列で複数の内容物取出し孔があけられる。上記第２のストッパ機構によって上記ブリスター容器（ＰＴＰ）のスライド移動が係止するときに凸状収容部と上記背面パネルの内容物取出し孔とが上下に重なるように，上記内容物取出し孔が位置決めされ，かつ上記１対のスライド溝の長さが決められる。２段階目のスライド移動に進み，第２のストッパ機構によってスライド移動が係止したときにはじめてＰＴＰ内の内容物（典型的には薬剤）を外に取り出すことができる。
【００２０】
たとえばＰＴＰが薬剤（錠剤）を収容したものであれば，幼い子供が誤って薬剤を飲むことを防止することができる。他方，第１のストッパ機構による係止を解いてＰＴＰを２段階目のスライド移動に至らせる操作はさほど複雑ではないから，高齢者であってもＰＴＰから薬剤を取り出すことができる。ＰＴＰ内の薬剤が不用意に取り出されないようにすることが簡易に実現される。
【００２１】
一実施態様では，上記背面パネルの下端に折返し片が連設されており，折返されて上記正面パネルの下部に接着された上記折返し片が，上記正面パネルの窓部の下端を規定する。このように正面パネル（正面パネルの窓部）を複数のパネル体から構成することもできる。この場合，正面パネルの窓部の下端が背面パネルの下端に連設する折返し片によって規定されるので，正面パネルには下端の閉じていない窓部（切欠き）を形成しておいてもよい。
【図面の簡単な説明】
【００２２】
【図１】二重包装体の分解斜視図である。
【図２】二重包装体の正面図である。
【図３】図２のIII−III線に沿う端面図である。
【図４】ブリスター容器をスライド移動したときの二重包装体の正面図である。
【図５】図４のＶ−Ｖ線に沿う端面図である。
【図６】ブリスター容器をさらにスライド移動したときの図５に相当する端面図である。
【図７】ブリスター容器をさらにスライド移動したときの二重包装体の正面図である。
【図８】振出し容器を構成するブリスターホルダーの展開図である。
【図９】ブリスター容器の正面図である。
【図１０】ブリスター容器の背面図である。
【図１１】ブリスター容器をスライド移動する前の振出し容器の背面図である。
【図１２】ブリスター容器をスライド移動した後の振出し容器の背面図である。
【図１３】ＰＴＰ容器を構成するＰＴＰホルダーの展開図である。
【図１４】ＰＴＰをＰＴＰホルダーに収納する様子を示す。
【図１５】ＰＴＰ容器の正面図である。
【図１６】ＰＴＰ容器の背面図である。
【図１７】ＰＴＰをスライド移動した後のＰＴＰ容器の正面図である。
【図１８】ＰＴＰをスライド移動した後のＰＴＰ容器の背面図である。
【実施例】
【００２３】
以下，図面を参照してこの発明の実施例を詳細に説明する。
【００２４】
図１は二重包装体の分解斜視図を，図２は二重包装体の正面図をそれぞれ示している。図３は図２のIII−III線に沿う端面図である。
【００２５】
二重包装体は，ブリスター容器30と，正面パネル10および背面パネル20を備えるブリスターホルダー１とを含む。ブリスター容器30によって内容物（お菓子，薬剤，おもちゃなど）が包装され，ブリスター容器30がホルダー１にさらに包装（収納）される。包装体を二重に持つという意味で，この明細書において，ブリスター容器とブリスターホルダーの総体を「二重包装体」と呼ぶ。
【００２６】
ブリスターホルダー１を構成する正面パネル10の外形と背面パネル20の外形とは同じ長方形である。正面パネル10と背面パネル20を重ね合わせて接着することでブリスターホルダー１はつくられる。ブリスターホルダー１を構成する正面パネル10と背面パネル20との間に，ブリスター容器30が狭持される。
【００２７】
ブリスターホルダー１を構成する正面パネル10および背面パネル20は厚紙からつくることができる。厚紙は板紙（ボール紙），ミルクカートン用紙，画用紙，ケント紙，段ボール等を含み，いわゆる合成紙（積層紙），複合紙でもよく，各種プラスチックフィルムを積層（たとえば表面にラミネート）したものでもよい。たとえば350ｇ／ｍ2〜400ｇ／ｍ2程度の坪量の厚紙を用いることができる。
【００２８】
図１を参照して，正面パネル10と背面パネル20はそれぞれ別体の２枚の厚紙から構成されている。２枚の厚紙に代えて，正面パネル10と背面パネル20とをそれらの一側端において連設した一枚の厚紙（図８参照）を用意してもよく，正面パネル10の上端または下端に背面パネル20を連設した厚紙を用意してもよい。正面パネル10と背面パネル20の境界に沿って正面パネル10ないし背面パネル20を折り返すことで，正面パネル10の裏面がわに背面パネル20を重ね合わせることができる。正面パネルを２つのパネル体の組合せによって構成することもできる（図１３，図１５参照）。
【００２９】
正面パネル10のほぼ中央に，正面パネル10の長手方向と同一方向に長手方向を持つ窓部（開口）11があけられている。さらに窓部11の上方の正面パネル10の面部には，上向きにのびる一対の切欠き（幅を持つ切込み）（スライド溝）12が間隔をあけて形成されている。一対の切欠き12はいずれも窓部11に連続している（つながっている）。詳細は後述するが，一対の切欠き12は，正面パネル10と背面パネル20との間に挟まれるブリスター容器30の上向きのスライド移動を所定距離だけ許容するために用いられる。一対の切欠き12の間に挟まれている窓部11の上方の正面パネル10の面部を，以下「係止片13」と呼ぶ。係止片13の下端（窓部11の上端でもある）を，以下「係止端13Ａ」と呼ぶ。
【００３０】
ブリスター容器30は，その表面がわに内容物収容部31が突出して形成されたプラスチック製の薄い基板32の裏面に封止シート33を固定（たとえば接着）したもので，内容物収容部31内に内容物（図示略）を収容（封入）したものである。一般に収容部31は透明であり，収容部31内に収容されている内容物を透明の収容部31を通して視覚的に確認することができる。封止シート33を破くまたは取り除くことで，収容部31内の内容物が外に取り出される。ブリスター容器30の外側周囲部にはフランジ部36（収容部31が設けられていない板状部分）が設けられている。ブリスター容器30の上下側および両側に広がるフランジ部36のうち，上側のフランジ部を特に「上側フランジ部38」と呼ぶことにする。
【００３１】
正面パネル10と背面パネル20とは，上部，下部および両側部の４箇所の接着部Ｎにおいて接着剤等によって接着され，これにより重ね合わされた状態が保持される。下部および両側部の接着部Ｎは窓部11からやや離れて設けられる。上部の接着部Ｎは上述した係止片13に設けられる。
【００３２】
図２，図３を参照して，ブリスター容器30を間に挟んで正面パネル10と背面パネル20とを接着すると，ブリスター容器30の内容物収容部31の全体が窓部11の外に出る。ブリスター容器30を最も下側に位置させたとき（ブリスター容器30の内容物収容部31の下面を窓部11の下端に当接させた）とき，ブリスター容器30の左右両側のフランジ部36および下部のフランジ部36が，正面パネル10と背面パネル20との間に挟まれた状態となる。また，ブリスター容器30を最も下側に位置させたときに，ブリスター容器30の上端（上部フランジ部38の上端）と係止片13の係止端13Ａ（窓部11の上端）との間にはわずかに隙間があく。
【００３３】
正面パネル10と背面パネル20の間に挟まれることで，ブリスターホルダー１に収納されたブリスター容器30はその左右方向の動きおよび下向きの動き（スライド移動）については，正面パネル10にあけられた窓部11と内容物収容部31とによって規制される。窓部11の幅（短手方向の長さ）は窓部11から突出する内容物収容部31の幅にほぼ等しく，ブリスター容器30を左右方向に動かそうとすると，窓部11から突出している内容物収容部31の左右面が窓部11の両側端に当接する。したがってブリスター容器30は左右方向にほとんどスライド移動することはできない。同様にして，内容物収容部31の下面が窓部11の下端に当接するので，ブリスター容器30は下向きにもほとんどスライド移動することはできない。
【００３４】
これに対し，上方向については，上述した左右方向および下方向と異なり，以下に説明するようにブリスター容器30を所定距離だけスライド移動することができる。
【００３５】
図４は，ブリスター容器30を上向きにわずかにスライド移動したときの二重包装体の正面図である。図５は図４のＶ−Ｖ線に沿う端面図である。図６はブリスター容器30をさらに上向きにスライド移動したときの図５に相当する端面図である。図７はブリスター容器30をさらに上向きにスライド移動したときの二重包装体の正面図である。
【００３６】
窓部11の左右の両側および下側において，正面パネル10と背面パネル20との間にブリスター容器30（フランジ部36）が狭持されているので，窓部11の左右両側および下側（窓部11に近い範囲）では正面パネル10と背面パネル20とは密着しておらず，正面パネル10と背面パネル20の間にはわずかに隙間があいている。しかしながら，窓部11の上側では係止片13に接着部Ｎが設けられている（図１参照）。このため，係止片13の範囲では正面パネル10と背面パネル20との間に隙間はほとんどない。このため，ブリスター容器30を上向きにスライド移動させると（図４，図５），ブリスター容器30の上端（上側フランジ部38の上端）が正面パネル10の係止片13の係止端13Ａに当接し，ここでブリスター容器30の上向きのスライド移動にロックがかかる。単純にスライドさせるだけでは，ブリスター容器30は上向きにも動かすことはできない。このように正面パネル10の係止片13の係止端13Ａは，ブリスター容器30の上向きのスライド移動を係止するストッパ機構（第１のストッパ機構）として機能する。
【００３７】
図６に示すように，たとえば内容物収容部31を指で掴んでわずかにブリスター容器30を持ち上げ，その状態でブリスター容器30を上向きに押す。ブリスター容器30を持ち上げることで係止片13による係止が解かれるので，ブリスター容器30の上向きのさらなるスライド移動が可能になる。
【００３８】
図７を参照して，係止片13による係止を解いてブリスター容器30を上向きにスライド移動すると，ブリスター容器30の上側フランジ部38の一部が係止片13上に乗り上がる。同時に，ブリスター容器30の上側フランジ部38は係止片13の両側に形成された一対の切欠き12にそれぞれ入る（差し込まれる）。すなわち一対の切欠き12の間ではブリスター容器30（上側フランジ部38の一部）は係止片13上に乗り上がるが，一対の切欠き12の両側方ではブリスター容器30は依然として正面パネル10と背面パネル20の間に挟まれたままである。このため，ブリスター容器30の上側フランジ部38が切欠き12の末端部（付け根部）付近にまで達すると，上側フランジ部38がきつく挟まれてそれ以上ブリスター容器30を上向きにスライド移動することはできず，そこでブリスター容器30のスライド移動が止まる。このように正面パネル10の一対の切欠き12は，ブリスター容器30の上向きのスライド移動を許容しつつ，かつその途中でスライド移動を係止するストッパ機構（第２のストッパ機構）として機能する。
【００３９】
２段階目のスライド移動の距離は切欠き12の長さによって規制される。切欠き12の長さを調整することによって，ブリスター容器30の上向きの許容スライド移動距離を調整することができる。
【００４０】
このように二重包装体を用いると，ブリスター容器30を単純にスライドさせるだけでは上下左右のいずれの方向にも移動させることができない。ブリスター容器30を上向きに移動させるには，上述のように，ブリスター容器30を持ち上げて係止片13による係止を解く（第１のストッパ機構によるロックを外す）必要がある。すなわち，ブリスター容器30を持ち上げるという，単純ではあるが必要不可欠な操作が，ブリスター容器30をスライド移動するために必要である。
【００４１】
二重包装体が備える２段階のスライド移動機構（第１，第２のストッパ機構）は，様々な用途に用いることが考えられる。
【００４２】
（二重包装体の利用例１）
図８から図１２は，上述した二重包装体を振出し容器に利用した実施態様を示している。図８は振出し容器を構成するブリスターホルダーの展開図である。図９はブリスター容器の正面図，図１０はブリスター容器の背面図である。図１１はブリスター容器をスライド移動する前の振出し容器の背面図である。図１２はブリスター容器をスライド移動した後の振出し容器の背面図である。図１から図７を参照して説明した二重包装体と同一の部材には同一の符号を付し，重複説明を省略する。
【００４３】
図８を参照して，振出し容器を構成するブリスターホルダー２は正面パネル10および背面パネル20を備える。背面パネル20のやや下方に円形の振出し孔21があけられている。正面パネル10と背面パネル20は側端同士が折り線Ｌ１を介して連設されており，折り線Ｌ１に沿って正面パネル10ないし背面パネル20が折り返される。折りやすくするために，折り線Ｌ１に沿って，リード罫，押罫，ミシン目などを形成しておいてもよい。
【００４４】
図９および図１０を参照して，ブリスター容器30の内容物収容部31には，複数のタブレット41が収納されている。タブレット41は，お菓子（キャンデー，ガムなど），錠剤，その他の比較的小さい固形物を含む用語として用いられる。ブリスター容器30の裏面の封止シート33のやや下方に円形のタブレット取出し孔35があけられている。タブレット取出し孔35の直径はタブレット41が通過可能な大きさを持つ。また，上述した背面パネル20の振出し孔21の直径は，ブリスター容器30のタブレット取出し孔35の直径と同等，またはそれよりもやや大きい。
【００４５】
ブリスター容器30を間に挟んで正面パネル10と背面パネル20とを接着し，ブリスター容器30の内容物収容部31を窓部11の外に出す。振出し容器が完成する。
【００４６】
図１１を参照して，振出し容器においてブリスター容器30を上方にスライド移動させる前においては，ブリスター容器30の裏面がわのタブレット取出し孔35と背面パネル20の振出し孔21との間にずれがある。タブレット取出し孔35は背面パネル20によって塞がれているので，この状態ではタブレット41を取り出すことはできない。
【００４７】
タブレット41を取り出すときには，ブリスター容器30が上向きにスライド移動される。
【００４８】
ブリスター容器30を上向きにスライド移動すると，上述したように，まずブリスター容器30の上端（上側フランジ部38の上端）が正面パネル10の係止片13の係止端13Ａに当接し，ここでブリスター容器30のスライド移動にロックがかかる（第１のストッパ機構，図４および図５参照）。ブリスター容器30の上端が係止片13の係止端13Ａに当接した状態においても，ブリスター容器30の裏面がわのタブレット取出し孔35と，背面パネル20にあけられた振出し孔21との間には未だにタブレット41を取り出せない程度にずれがあり，タブレット41を取り出すことはできない。
【００４９】
ブリスター容器30を持ち上げて係止片13による係止を解き，その状態でブリスター容器30を上向きにさらにスライド移動する（図６参照）。ブリスター容器30を持ち上げるのに代えてまたは加えて，背面パネル20にあけられた振出し孔21に指を入れ，ブリスター容器30を指で押し上げるようにしてもよい。もちろん，振出し孔21とは別に，ブリスター容器30を指で押し上げるための孔（指通し孔）を背面パネル20にあけておいてもよい。いずれにしてもブリスター容器30をわずかに持ち上げた状態で上向きに押すと，ブリスター容器30の上側フランジ部38は係止片13上に乗り上げ，かつ正面パネル10に形成された一対の切欠き（スライド溝）12に入る。ブリスター容器30の上端が切欠き12の末端部にまで達すると，そこでブリスター容器30の上向きのスライド移動が止まる（第２のストッパ機構，図７参照）。
【００５０】
図１２を参照して，第２のストッパ機構によってブリスター容器30のスライド移動が係止されたときに，ブリスター容器30の裏面がわのタブレット取出し孔35と背面パネル20の振出し孔21とがちょうど重なり合う。タブレット取出し孔35および振出し孔21を通して，内容物収容部31内のタブレット41を１個ないし数個ずつ外に取り出すことができる。
【００５１】
ブリスター容器30を逆向き，すなわち下向きにスライド移動すると，タブレット取出し孔35を再び閉じることができる。タブレット取出し孔35は何度でも開閉することができる。
【００５２】
上述した振出し容器では，ブリスター容器30に収容されているタブレット41を取り出すときに，ブリスター容器30を持ち上げるという，単純ではあるが必要不可欠な操作が必要とされる。たとえば幼い子供が誤ってタブレット41を飲むことを防止することができる。ブリスター容器30を持ち上げつつ上向きにスライド移動する操作はさほど複雑なものではないから，高齢者であっても対処可能である。
【００５３】
また，ブリスター容器30をブリスターホルダー２に収納すると，第１のストッパ機構によってブリスター容器30の上向きのスライド移動にロックがかかるので，ブリスター容器30内のタブレット41がひとりでにこぼれ落ちてしまうこともない。
【００５４】
上述した実施例では，タブレット取出し孔35があけられた封止シート33を備えるブリスター容器30を用いることを前提に説明したが，封止シート33を持たないブリスター容器（すなわち基板32のみから構成されるブリスター容器）を用いることもできる。この場合には，第２のストッパ機構によってブリスター容器のスライド移動が係止したときに，ブリスター容器の収容部31（裏面がわの開口）が背面パネル20の振出し孔21に重なることになる位置に，上記振出し孔21を形成しておけばよい。第１のストッパ機構によってブリスター容器のスライド移動が係止しているときには，たとえばブリスター容器の上側フランジ部によって背面パネル20の振出し孔21を内側から閉じておけばよい。
【００５５】
なお，背面パネル20の振出し孔21をあらかじめ形成しておくことに代えて，振出し孔21の外縁に沿うミシン目などを背面パネル20にあらかじめ形成しておいてもよい。この場合には，使用時にミシン目に沿って背面パネル20の一部を破くことで，振出し孔21があけられる。
【００５６】
（二重包装体の利用例２）
図１３から図１８は，上述した二重包装体をＰＴＰ容器に利用した実施態様を示している。図１３はＰＴＰ容器を構成するＰＴＰホルダーの展開図である。図１４はＰＴＰをＰＴＰホルダーに収納する様子を示している。図１５は収納を終えた状態（ＰＴＰ容器の正面図），図１６はその背面図である。図１７，図１８はＰＴＰをスライド移動した後のＰＴＰ容器の正面図および背面図である。
【００５７】
図１４を参照して，ＰＴＰ30Ａは，表面がわに複数の薬剤収容部31Ａが突出して形成されたプラスチック製の薄い基板の裏面に，アルミニウム箔などの破りやすい封止シートを接着したもので，薬剤収容部31Ａのそれぞれに錠剤41Ａが収容（封入）されている。突出している薬剤収容部31Ａを押すと基板の裏側で封止シートが破れ，そこから内部の錠剤41Ａを取り出すことができる。この実施例のＰＴＰ30Ａは全体的な形状がほぼ長方形で，縦方向に５つ，横方向に２つ，全部で10個の薬剤収容部31Ａが互いに間隔をあけて整列して並べられたタイプのものである。
【００５８】
図１３を参照して，ＰＴＰ容器を構成するＰＴＰホルダー３は正面パネル10Ａおよび背面パネル20Ａを備える。正面パネル10Ａと背面パネル20Ａとは折り線Ｌ１を介して側端同士が連設されている。折り線Ｌ１に沿って正面パネル10Ａないし背面パネル20Ａが折り返される。
【００５９】
正面パネル10Ａのほぼ中央に，下端が閉じていない窓部（切欠き）11Ａが形成されている。窓部11Ａの上端の左右両端のそれぞれから上向きにのびる一対の切込み（スライド溝）12Ａが，正面パネル10Ａに形成されている。
【００６０】
背面パネル20Ａの下端に折返し片50が連設されている。後述するように，折返し片50は折返されて正面パネル10Ａの下部に接着され，これにより正面パネル10Ａの閉じていない窓部11Ａの下端が閉じられる（図１５参照）。
【００６１】
背面パネル20Ａには，ＰＴＰ30Ａに設けられている複数の薬剤収容部31Ａに対応する配列で，複数の薬剤取出し孔22があけられている。ＰＴＰ30Ａの複数の薬剤収容部31Ａのそれぞれに別個に薬剤取出し孔を対応づけることもできるし，背面パネル20Ａのように，横向きに並ぶ２つの薬剤収容部31Ａに対して１つの薬剤取出し孔22を対応づけることもできる。
【００６２】
図１４を参照して，はじめに上部および両側部の３箇所の接着部Ｎ（図１３参照）において，接着剤等によって正面パネル10Ａと背面パネル20Ａとが接着される。ＰＴＰ30Ａの両側部のフランジ部36のそれぞれを正面パネル10Ａと背面パネル20Ａとの間に挟むようにして，ＰＴＰ30ＡはＰＴＰホルダー３の下端からＰＴＰホルダー３内に収納される。
【００６３】
図１５を参照して，ＰＴＰ30Ａをホルダー３に収納した後，背面パネル20Ａに連設する折返し片50を折り返して正面パネル10Ａの下部に接着する。ＰＴＰ容器が完成する。ＰＴＰ30Ａの左右方向の動きについては，正面パネル10Ａにあけられた窓部11Ａと薬剤収容部31Ａとによって規制される。下方向の動きについては折返し片50の端面（窓部11Ａの下端でもある）と最下段の薬剤収容部31Ａとによって規制される。
【００６４】
図１６を参照して，ＰＴＰ30Ａを上向きにスライド移動させる前，ＰＴＰ30Ａの裏面がわの薬剤取出し範囲37と背面パネル20Ａの薬剤取出し孔22との間にずれがある。薬剤取出し範囲37が背面パネル20Ａによって塞がれているので，この状態では錠剤41Ａを取り出すことはできない。
【００６５】
錠剤41Ａを取り出すときには，ＰＴＰ30Ａが上向きにスライド移動される。
【００６６】
ＰＴＰ30Ａを上向きにスライド移動すると，まずＰＴＰ30Ａの上端（上側フランジ部38の上端）が正面パネル10Ａの係止片13の係止端13Ａに当接し，ここでＰＴＰ30Ａのスライド移動にロックがかかる（第１のストッパ機構）。この状態においても，ＰＴＰ30Ａの裏面がわの薬剤取出し範囲37と，背面パネル20Ａにあけられた薬剤取出し孔22との間には未だにずれがあり，錠剤41Ａを取り出すことはできない。
【００６７】
ＰＴＰ30Ａを持ち上げて係止片13による係止を解き，その状態でＰＴＰ30Ａを上向きにさらにスライド移動する。ＰＴＰ30Ａを持ち上げるときに薬剤取出し孔22に指を入れ，ＰＴＰ30Ａを押し上げてもよい。係止片13による係止を解いた状態でＰＴＰ30Ａを上向きにスライド移動すると，ＰＴＰ30Ａの上側フランジ部38が係止片13上に乗り上げ，かつ正面パネル10Ａに形成された一対の切込み12Ａに入る。図１７を参照して，ＰＴＰ30Ａの上端（上部フランジ部38の上端）が切込み12Ａの末端部にまで達すると，そこでＰＴＰ30Ａの上向きのスライド移動が止まる（第２のストッパ機構）。
【００６８】
図１８を参照して，第２のストッパ機構によってＰＴＰ30Ａのスライド移動が係止されたときに，ＰＴＰ30Ａの裏面がわの薬剤取出し範囲37と背面パネル20Ａの薬剤取出し孔22とがちょうど重なり合う。薬剤取出し範囲37および薬剤取出し孔22を通して，薬剤収容部31Ａ内の錠剤41Ａを外に取り出すことができる。
【００６９】
ＰＴＰ容器も，ＰＴＰ30Ａに収容されている錠剤41Ａを取り出すときには，ＰＴＰ30Ａを持ち上げるという，単純ではあるが必要不可欠な操作が必要とされる。たとえば幼い子供が誤って錠剤41Ａを飲むことを防止することができる。ＰＴＰ30Ａを持ち上げつつ上向きにスライド移動する操作はさほど複雑なものではないから，高齢者であっても対処可能である。
【符号の説明】
【００７０】
１，２  ブリスターホルダー
３  ＰＴＰホルダー
10，10Ａ  正面パネル
11，11Ａ  窓部
12  切欠き（スライド溝）
12Ａ  切込み（スライド溝）
13  係止片
13Ａ  係止端
20，20Ａ  背面パネル
21  振出し孔
22  薬剤取出し孔
30  ブリスター容器
30Ａ  ＰＴＰ
31  内容物収容部（凸状収容部）
31Ａ  薬剤収容部（凸状収容部）
33  封止シート
35  タブレット取出し孔
36  フランジ部
38  上側フランジ部
41  タブレット
41Ａ  錠剤
50  折返し片
【図１】
0006443664.tif 000002
【図２】
0006443664.tif 000003
【図３】
0006443664.tif 000004
【図４】
0006443664.tif 000005
【図５】
0006443664.tif 000006
【図６】
0006443664.tif 000007
【図７】
0006443664.tif 000008
【図８】
0006443664.tif 000009
【図９】
0006443664.tif 000010
【図１０】
0006443664.tif 000011
【図１１】
0006443664.tif 000012
【図１２】
0006443664.tif 000013
【図１３】
0006443664.tif 000014
【図１４】
0006443664.tif 000015
【図１５】
0006443664.tif 000016
【図１６】
0006443664.tif 000017
【図１７】
0006443664.tif 000018
【図１８】
0006443664.tif 000019